(57)【要約】【目的】リモコンキーＩＤが複数の放送局に重複して割り当てられた場合の不都合を解消できるディジタル放送受信装置を提供する。【構成】ＣＰＵ１３はリモコンキーＩＤ「１０」がＡ放送局及びＢ放送局に重複して割り当てられていることを認識した場合、選択画面表示を行う。この表示において、ユーザがＡ放送局を選択すると、ＣＰＵ１３はリモコン送信機１０の「１０」キーにＡ放送局を通常選択される放送局として割り当て、Ｂ放送局を「１０」キーのサブ的な放送局として割り当てる。Ａ放送局が選局されたとき、受信映像上にＡ放送局のチャンネルバナーと共にサブ的な放送局Ｂが存在する旨の表示を行う。ユーザがリモコン送信機１０に設けられた所定のボタンを押下すると、Ｂ放送局が選局されて受信映像が画面に表示される。【選択図】　　　　　　　図１
2004015138.tif 000002
【特許請求の範囲】
【請求項１】
チャンネルサーチによって有局チャンネルを検出してその情報をメモリに格納する手段と、前記有局チャンネルのディジタル放送波に含まれる情報のなかからリモコンキーＩＤを取得する情報取得手段と、同一のリモコンキーＩＤが複数の放送局に割り当てられていることが検出された場合、一つの放送局について前記リモコンキーＩＤに対応して選局される設定を行う選局設定手段と、前記一つの放送局が選局受信された状態で画面上に他の放送局が存在する旨の表示を行う手段と、前記他の放送局を選択する操作がユーザによって行われたときに前記メモリの情報に基づいて当該他の放送局を選局する手段と、を備えたことを特徴とするディジタル放送受信装置。
【請求項２】
請求項１に記載のディジタル放送受信装置において、前記他の放送局を選択する操作がユーザによって行われたときに、当該他の放送局を前記リモコンキーＩＤに対応して選局される設定にしなおすように構成したことを特徴とするディジタル放送受信装置。
【請求項３】
請求項１又は請求項２に記載のディジタル放送受信装置において、前記情報取得手段はリモコンキーＩＤに加えて放送局名情報を取得し、前記選局設定手段は、同一のリモコンキーＩＤを持つ複数の放送局の放送局名情報を画面上に表示すると共に、この表示のなかからユーザによって選択された一つの放送局について前記リモコンキーＩＤに対応して選局される設定を行うように構成されたことを特徴とするディジタル放送受信装置。
【請求項４】
請求項１又は請求項２に記載のディジタル放送受信装置において、前記選局設定手段は、同一のリモコンキーＩＤを持つ複数の放送局のうち、当該受信装置が設置されている県域内の放送局を優先して、前記リモコンキーＩＤに対応させる設定を行うように構成されたことを特徴とするディジタル放送受信装置。
【請求項５】
請求項１又は請求項２に記載のディジタル放送受信装置において、前記選局設定手段は、同一のリモコンキーＩＤを持つ複数の放送局のうち、受信状態が最も良好である一つの放送局について前記リモコンキーＩＤに対応して選局される設定を行うように構成されたことを特徴とするディジタル放送受信装置。
【発明の詳細な説明】
【０００１】
【産業上の利用分野】
この発明は、地上波ディジタル放送を受信するディジタル放送受信装置に関する。
【０００２】
【従来の技術】
地上波を用いたディジタル放送を受信するディジタル放送受信装置は、地上波用アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
ところで、地上波ディジタル放送は、日本においては２００３年からＵＨＦ（Ｕｌｔｒａ　Ｈｉｇｈ　Ｆｒｅｑｕｅｎｃｙ）帯域のチャンネルにおいて放送を開始する予定であり、また、地上波ディジタル放送では、主局から送信される電波はごく一部のエリアにしか届かないため、中継局が設置され、主局と中継局とが同一の放送を異なる周波数で放送するＭＦＮ（Ｍｕｌｔｉ　Ｆｒｅｑｕｅｎｃｙ　Ｎｅｔｗｏｒｋ）方式が採用される予定である。ディジタル放送の主局においては、前記のごとく、ＵＨＦにチャンネルが割り当てられることになるが、例えば、８チャンネルといえば通常は○○放送局であることが一般に認識されていることに鑑み、リモコン送信機のボタン８を押せば○○放送局が受信できるような工夫を行うことが考えられている。具体的には、チャンネルサーチで見つかった有局の放送波のなかのＰＳＩ（Ｐｒｏｇｒａｍ　Ｓｐｅｃｉｆｉｃ　Ｉｎｆｏｒｍａｔｉｏｎ）のＮＩＴ（Ｎｅｔｗｏｒｋ　Ｉｎｆｏｒｍａｔｉｏｎ　Ｔａｂｌｅ）内のＴＳ番号記述子（リモコンキーＩＤ）を受信装置が取得し、このリモコンキーＩＤが示す番号（リモコンの数字キー）に当該放送局を受信するための情報を対応させることになる。すなわち、○○放送局がＴＳ番号記述子にリモコンキーＩＤとして「８」を付加して送信することにより、受信装置の側ではこの情報を受信してリモコンキーＩＤを取得し、リモコン送信機のキー８に○○放送局を設定する。以降、ユーザによってリモコン送信機のキー８が押下されると、○○放送局のチャンネルが選局されるようになる。
【０００４】
【発明が解決しようとする課題】
しかしながら、ＭＦＮ方式の下では、ある地域においてあるリモコンキーＩＤが複数の放送局に重複して割り当てられることがあり得る。このため、受信装置においては、同一のリモコンキーＩＤを持つ複数の放送局のうち１つの設定を残し、その他の放送局を受信するための情報をメモリから削除する処理を行うことになるが、この削除処理によって、残された以外の放送局を選局することはできなくなるといったことが生じる。
【０００５】
この発明は、上記の事情に鑑み、リモコンキーＩＤが複数の放送局に重複して割り当てられた場合でも、重複する放送局の一つを通常的に選局しつつ他の放送局についてはサブ的に選局することができるディジタル放送受信装置を提供することを目的とする。
【０００６】
【課題を解決するための手段】
この発明のディジタル放送受信装置は、上記の課題を解決するために、チャンネルサーチによって有局チャンネルを検出してその情報をメモリに格納する手段と、前記有局チャンネルのディジタル放送波に含まれる情報のなかからリモコンキーＩＤを取得する情報取得手段と、同一のリモコンキーＩＤが複数の放送局に割り当てられていることが検出された場合、一つの放送局について前記リモコンキーＩＤに対応して選局される設定を行う選局設定手段と、前記一つの放送局が選局受信された状態で画面上に他の放送局が存在する旨の表示を行う手段と、前記他の放送局を選択する操作がユーザによって行われたときに前記メモリの情報に基づいて当該他の放送局を選局する手段と、を備えたことを特徴とする。
【０００７】
上記の構成であれば、リモコンキーＩＤが複数の放送局に重複して割り当てられた場合でも、重複する放送局の一つを通常的に選局しつつ他の放送局については当該他の放送局を選択する操作がユーザによって行われたときに前記メモリの情報に基づいて当該他の放送局が選局されることになる。
【０００８】
前記他の放送局を選択する操作がユーザによって行われたときに、当該他の放送局を前記リモコンキーＩＤに対応して選局される設定にしなおすように構成してもよい。
【０００９】
前記情報取得手段はリモコンキーＩＤに加えて放送局名情報を取得し、前記選局設定手段は、同一のリモコンキーＩＤを持つ複数の放送局の放送局名情報を画面上に表示すると共に、この表示のなかからユーザによって選択された一つの放送局について前記リモコンキーＩＤに対応して選局される設定を行うように構成されていてもよい。
【００１０】
前記選局設定手段は、同一のリモコンキーＩＤを持つ複数の放送局のうち、当該受信装置が設置されている県域内の放送局を優先して、前記リモコンキーＩＤに対応させる設定を行うように構成されていてもよい。
【００１１】
前記選局設定手段は、同一のリモコンキーＩＤを持つ複数の放送局のうち、受信状態が最も良好である一つの放送局について前記リモコンキーＩＤに対応して選局される設定を行うように構成されていてもよい。
【００１２】
【発明の実施の形態】
以下、この発明の実施形態を図１及び図２に基づいて説明する。図１は地上波ディジタル放送を受信するこの実施形態のディジタル放送受信装置３０を示したブロック図であり、図２はリモコンキーＩＤが重複した場合の放送局選択画面を例示した説明図である。
【００１３】
図１において、地上波アンテナ１は屋外において所定の方向に向けて配置されており、地上波ディジタル放送信号を受信する。この地上波アンテナ１は受信した信号を地上波ディジタルチューナ２に与える。
【００１４】
地上波ディジタルチューナ２は、映像・音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリームを出力する。
【００１５】
デマルチプレクサ（ＤＥＭＵＸ）３は、前記トランスポート・ストリームを、ＭＰＥＧ２（Ｍｏｖｉｎｇ　Ｐｉｃｔｕｒｅ　Ｅｘｐｅｒｔｓ　Ｇｒｏｕｐ２）のビデオストリーム、オーディオストリーム、及びＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）に分離する。デマルチプレクサ３は、ビデオストリームとオーディオストリームをＡＶデコーダ４に供給し、ＰＳＩ／ＳＩに含まれる番組情報等をＣＰＵ１３に供給する。なお、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定もＰＳＩ／ＳＩの情報に基づいて行うことができる。
【００１６】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１７】
映像処理回路５はＡＶデコーダ４から映像データを受け取ってＤ／Ａ変換を行い、例えばコンポジット映像信号に変換する。音声処理回路６はＡＶデコーダ４から出力された音声データを受け取ってＤ／Ａ変換を行い、例えば右（Ｒ）音のアナログ信号及び左（Ｌ）音のアナログ信号を生成する。
【００１８】
映像処理回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によって受像管１６ａ及びスピーカ１６ｂを備えるモニタ１６が接続される。
【００１９】
ＯＳＤ（オンスクリーンディスプレイ）回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、メニュー画面や各種設定画面などの表示が行えることになる。
【００２０】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００２１】
不揮発性メモリ（例えばフラッシュＲＯＭ等）１４には、ＥＰＧ画面を表示するためのデータの他、有局チャンネル情報（周波数情報、リモコンキーＩＤ、放送局名情報など）が格納される。
【００２２】
ＣＰＵ１３は、このディジタル放送受信装置３０における全体制御を行うものであるが、特にこの発明にかかる処理として、リモコンキーＩＤが重複した場合の制御を実行する。以下、かかる制御について説明していく。
【００２３】
例えば、受信装置３０の初回電源投入時、ユーザはメニュー画面からチャンネルサーチを指示する。ＣＰＵ１３は、地上波ディジタルチューナ２に地上波ディジタル放送が送信されるＵＨＦ帯域の最も低い周波数を選局させて有局判定を行う。有局と判断した場合には、その周波数情報や局情報（放送局系列名等）と共に、ＮＩＴに含まれるＴＳ情報記述子からリモコンキーＩＤを抽出し、不揮発性メモリ１４に記憶する。この処理を、順次周波数を上げて最も高い周波数まで続ける。これにより、選択可能なチャンネルの周波数情報、局情報、リモコンキーＩＤが対応付けられたチャンネルマップが作成される。
【００２４】
ＣＰＵ１３がチャンネルサーチを実行し、例えば、１３ｃｈ、１５ｃｈ、２０ｃｈ、３０ｃｈについて有局判定したのであれば、ＣＰＵ１３によって作成されるチャンネルマップは例えば以下のごとくなる。
【００２５】
１３ｃｈ　□□□放送局　リモコンキーＩＤ「８」
１５ｃｈ　＊＊＊放送局　リモコンキーＩＤ「１０」
２０ｃｈ　▲▲▲放送局　リモコンキーＩＤ「１０」
３０ｃｈ　×××放送局　リモコンキーＩＤ「６」
【００２６】
ＣＰＵ１３は、リモコンキーＩＤ「６」及び「８」が１つの放送局だけに割り当てられていることを判断し、リモコン送信機１０の「６」キーに×××放送局を対応付け、「８」キーに□□□放送局を対応付ける。
【００２７】
一方、ＣＰＵ１３は、リモコンキーＩＤ「１０」が＊＊＊放送局及び▲▲▲放送局に重複して割り当てられていることを認識し、この場合、ＯＳＤ回路１２を用い、選択画面表示を行う。図２（ａ）に選択画面表示の一例を示す。この表示例では、選択放送局の放送波を受信して表示を行い、画面中央において放送局名（＊＊＊放送局及び▲▲▲放送局）を示している。この表示において、ユーザは、例えばリモコン送信機１０の上下キーを用いて、＊＊＊放送局又は▲▲▲放送局のいずれかを選択し、決定キーで選択を確定させる。図２（ａ）に示すように、ユーザが＊＊＊放送局を選択して決定キーを押下した場合には、ＣＰＵ１３はリモコン送信機１０の「１０」キーに＊＊＊放送局を通常選択される放送局として割り当て、ユーザによって選択されなかった側の▲▲▲放送局を「１０」キーのサブ的な放送局として設定する。これにより、チャンネルマップは例えば以下のとおり作成される。
【００２８】
１３ｃｈ　□□□放送局　「８」
１５ｃｈ　＊＊＊放送局　「１０」通常選択される放送局
２０ｃｈ　▲▲▲放送局　「１０」サブ的な放送局
３０ｃｈ　×××放送局　「６」
【００２９】
これにより、リモコン送信機１０の「１０」キーを押下すると、図２（ｂ）に示すように、通常選択される放送局である＊＊＊放送局（１５ｃｈ）が受信されるようになる。このとき、受信映像と共にチャンネルバナー（放送局名（放送局ロゴ）、番組名、開始時間、終了時間等）の表示が行われる。更に、この実施形態では、このチャンネルバナー上に、サブ的な放送局が存在する旨の表示（図においては、赤色の四角枠及び▲▲▲放送局の文字）を併記する。このチャンネルバナーの表示は、例えばリモコン送信機１０の数字キーを押下（すなわち、チャンネル選択）した後、所定期間（例えば、数秒間）表示される。ここで、ユーザがリモコン送信機１０に設けられた赤色のカラーボタンを押下すると、ＣＰＵ１３は地上波ディジタルチューナ２に▲▲▲放送局の２０ｃｈを選局するよう指令を送出し、▲▲▲放送局の番組が表示される。
【００３０】
サブ的な放送局を選局する状態は、ユーザによって他のチャンネル選択が行われたときに解消される、或いはテレビＯＦＦされると解消される、といった設定としてもよいが、上述したサブ的な放送局を選局する操作がユーザによって行われたときに、当該サブ的な放送局を前記リモコンキーＩＤに対応して選局される設定にしなおし（すなわち、通常選択される放送局とし）、元の通常選択される放送局をサブ的な放送局とする入替処理を行ってもよい。
【００３１】
また、上記の例では、リモコンキーＩＤが重複する複数放送局を表示してユーザに選択させることとしたが、これに限らず、同一のリモコンキーＩＤを持つ複数の放送局のうち、当該受信装置が設置されている県域内の放送局を優先して、前記リモコンキーＩＤに対応させる設定を行うようにしてもよいし、或いは、同一のリモコンキーＩＤを持つ複数の放送局のうち、受信状態（Ｃ／Ｎ比、エラーレート等により判断）が最も良好である一つの放送局について前記リモコンキーＩＤに対応して選局される設定を行うようにしてもよい。
【００３２】
【発明の効果】
以上説明したように、この発明によれば、リモコンキーＩＤが複数の放送局に重複して割り当てられた場合でも、重複する放送局の一つを通常的に選局しつつ他の放送局についてはサブ的に選局することができるという効果を奏する。
【図面の簡単な説明】
【図１】この発明の実施形態のディジタル放送受信装置を示したブロック図である。
【図２】リモコンキー情報が重複した場合の画面を例示した説明図である。
【符号の説明】
１　　アンテナ
２　　地上波ディジタルチューナ
３　　デマルチプレクサ（ＤＥＭＵＸ）
４　　ＡＶデコーダ
１２　ＯＳＤ回路
１３　ＣＰＵ
１４　不揮発性メモリ
【図１】
2004015138.tif 000003
【図２】
2004015138.tif 000004